(57)【特許請求の範囲】
【請求項１】
複数のサービス・プロバイダ領域（１０、２０）を含み、各領域（１０、２０）が相互接続されたサービス交換ポイント（ＳＳＰ）（１６、２４）とサービス制御ポイント（ＳＣＰ）装置（１７、２５）を含む情報回路網（ＩＮ）電気通信システム（１）のサービス・プロバイダ領域（１０、２０）において呼をコールされた加入者（１１、１２、２１）に配信する方法において、前記ＳＳＰ（１６、２４）は発呼加入者（１１、１２、２１）からの呼をコールされた加入者（１１、１２、２１）に配信するように作動し、前記ＳＣＰ（１７、２５）は自己のサービス・プロバイダ領域（１０、２０）において加入者（１１、１２、２１）に利用される電気通信及び回路網のサービスを制御するように作動し、移動した加入者（２１’）について伝送情報が前記情報回路網（ＩＮ）電気通信システム（１）で利用され、前記移動した加入者（２１’）への呼は前記伝送情報に従って配信されるものにおいて、前記方法が、
−前記コールされた移動加入者（２１’）の移動情報（１９、３０、２７、３１、３４、３６）であって、伝送情報、及び移動加入者（２１’）に利用されるサービス、特に呼の配信に関するサービスのサービス情報に関連する前記移動情報（１９、３０、２７、３１、３４、３６）を前記ＳＳＰ（１６、２４）によって取り出す工程と、
−前記取り出したサービス情報に基づいて、前記コールされた移動加入者（２１’）に利用可能なサービスがあるか否かを前記ＳＳＰ（１６、２４）によって判断する工程と、
−前記取り出したサービス情報が前記移動加入者（２１’）への呼の配信に関するサービスを示していない場合に、前記ＳＣＰ装置（１７、２５）に質問することなく、前記取り出した伝送情報に従って、コールされた前記移動加入者（２１’）に前記ＳＳＰ（１６、２４）によって呼を配信する工程と、
−前記取り出したサービス情報が前記移動加入者（２１’）への呼の配信に関するサービスを示している場合に、前記ＳＣＰ装置（１７、２５）に質問することにより、前記取り出した伝送情報及びサービス情報に従って、コールされた前記移動加入者（２１’）に前記ＳＳＰ（１６、２４）によって呼を配信する工程と
を含むことを特徴とする方法。
【請求項２】
前記移動情報のサービス情報が、前記移動加入者（２１’）にサービスが利用可能であるか否かを示すフラッグまたはトリガを含む、請求項１に記載の方法。
【請求項３】
前記移動情報が移動加入者（２１’）の伝送情報を格納するように作動するデータベース（３１、３４、３６）から検索される、請求項１または２に記載の方法。
【請求項４】
前記移動情報が前記移動加入者（２１’）のホームサービス・プロバイダ領域（２０）から検索される、請求項１または２または３に記載の方法。
【請求項５】
前記移動情報が前記移動加入者（２１’）のホームサービス・プロバイダ領域（２０）の前記ＳＣＰ（２５）から求めるられる、請求項４に記載の方法。
【請求項６】
前記移動加入者（２１’）がそのホームサービス・プロバイダ領域（２０）の異なる部分に移動されたか否かに関する情報を前記移動情報が含むことを特徴とする請求項１乃至５の何れか１項に記載の方法。
【請求項７】
前記ホームサービス・プロバイダ領域（２０）の前記異なる部分が前記加入者（２１）の前記ホームサービス・プロバイダ領域（２０）の前記ＳＣＰ（２５）に含まれる、請求項６に記載の方法。
【請求項８】
複数のサービス・プロバイダ領域（１０、２０）を含み、各領域（１０、２０）が相互接続されたサービス交換ポイント（ＳＳＰ）（１６、２４）とサービス制御ポイント（ＳＣＰ）装置（１７、２５）を含む情報回路網（ＩＮ）電気通信システム（１）のサービス・プロバイダ領域（１０、２０）において呼をコールされた加入者（１１、１２、２１）に配信する呼配信システムにおいて、前記ＳＳＰ（１６、２４）は呼を発呼加入者（１１、１２、２１）からコールされた加入者（１１、１２、２１）に中間交換（１３、１４、１５、２２、２３）を介して配信するように作動し、前記ＳＣＰ装置（１７、２５）は加入者（１１、１２、２１）が自己のサービス・プロバイダ領域（１０、２０）において利用できる電気通信及び回路網のサービスを制御するように作動し、前記呼配信システムは、
−移動加入者（２１’）の伝送情報を格納する手段（１９、３０、２７、３１、３４、３６）と、
−移動加入者（２１’）に対する移動情報を格納する手段（２７、３１、３４、３６）であって、該移動情報が伝送情報、及び移動加入者（２１’）に利用されるサービス、特に呼の配信に関するサービスのサービス情報に関連する前記格納手段と、
−前記移動情報を格納する手段（２７、３１、３４、３６）からコールされた前記移動加入者（２１’）の移動情報を取り出すための前記ＳＳＰ（１６、２４）に備えられた取り出し手段（４２）と、
−前記取り出し手段（４２）によって取り出されたサービス情報に基づいて、コールされた前記移動加入者に利用可能なサービスがあるか否かを判断するための前記ＳＳＰ（１６、２４）に備えられた判断手段（４３）と、
−前記取り出したサービス情報が前記移動加入者（２１’）への呼の配信に関するサービスを示していない場合に、前記ＳＣＰ装置（１７、２５）に質問することなく、前記取り出した伝送情報に従って、コールされた前記移動加入者（２１’）に呼を配信するための前記ＳＳＰ（１６、２４）に備えられた配信手段（４１、４３、４４）と、
−前記取り出したサービス情報が前記移動加入者（２１’）への呼の配信に関するサービスを示している場合に、前記ＳＣＰ装置（１７、２５）に質問することにより、前記取り出した伝送情報及びサービス情報に従って、コールされた前記移動加入者（２１’）に呼を配信するための前記ＳＳＰ（１６、２４）に備えられた配信手段（４１、４３、４４）と
を備えることを特徴とする呼配信システム。
【請求項９】
前記移動情報を格納する手段が、移動加入者（２１’）の伝送情報を格納するように作動するデータベース手段（３１、３４、３６）に含まれる、請求項８に記載の呼配信システム。
【請求項１０】
前記通路及びサービス情報を含む前記移動情報を格納する手段（２７）が、移動加入者（２１’）の前記ホームサービス・プロバイダ領域の前記ＳＣＰ（２５）に含まれる、請求項８に記載の呼配信システム。
【請求項１１】
前記コールされた移動加入者（２１’）の前記移動情報の前記サービス情報を前記伝送情報により同定される前記サービス・プロバイダ領域（１０）の前記ＳＣＰ（１７）に伝送する前記ＳＳＰ（１６）に備えられた手段を更に含み、前記ＳＣＰ（１７）が前記呼を前記コールされた移動加入者（２１’）の前記サービス情報に従って配信するように構成される、請求項８乃至１０の何れか１項に記載の呼配信システム。
【請求項１２】
前記加入者（２１）が電気通信及び回路網のサービスを制御するように作動する自己のホームサービス・プロバイダ領域（２０）の部分に移動されたか否かに関する各加入者（２１）の情報を格納するように前記ＳＣＰ（２５）が構成されている、請求項１０に記載の呼配信システム。
【発明の詳細な説明】
【０００１】
（発明の分野）
本発明は、一般に情報回路網（ＩＮ）による電気通信サービスに関し、更に詳細には呼を複数のサービス・プロバイダ領域における加入者に配信する方法、及びシステムに関する。
【０００２】
（発明の背景）
最近の情報回路網（ＩＮ）電気通信システムは複数の電気通信及び回路網サービスを提供する。加入者が自由に、または予約に基づいて利用することのできるそのサービスは、電気通信システムのサービス制御ポイント（ＳＰＣ）装置に格納される所謂使用者概要（user profile) 情報に含まれる。
【０００３】
公共電気通信システムの規制解除により、現在のＩＮ電気通信システムは異なる、または同じ地理的領域で作動する複数のサービス・プロバイダ領域を含んでいる。サービスの数、形式、及び料金はサービス・プロバイダの間で異なっても良い。
【０００４】
番号の移動性（number portability) （ＮＰ）により加入者は加入者番号または電話番号を変更することなく、サービス・プロバイダを変更できる。移動した（ported) 加入者への呼は、元の加入者番号で呼び出しても、移動した加入者の実際の位置に配信される。
国際交換シンポジウム（ISS '97) Vol.2, 21-26 1997 9月 p.p.234-242, トロント(Toronto) におけるダブリウ．ロウテンシュレーガ（W. Lautenschlager)他の論文“番号移動性の規定にたいする伝送サービス（Routing Service for the Provision of Number Portability)" は、番号移動性の実行のための各種回路方法を開示している。
回路網における各呼に対して必要な伝送情報を求めるために伝送データベースまたは伝送サービスが質問される、所謂完全ＩＮ伝送に加えて、移動加入者への呼により一般に、コールされた加入者が最初に登録されたサービス・プロバイダ領域、あるいはドナー領域とも呼ばれる領域について質問が行われる。前記呼は、得られた伝送情報から同定される実際のサービス・プロバイダ領域における移動加入者に配信される。
【０００５】
移動した加入者に関連する伝送情報は、米国特許第５、５９８、４６４号に開示されているように、個々の局部的または全体的ＮＰデータベース装置、またはホームサービス・プロバイダまたはドナー領域のＳＣＰに与えられる。該伝送情報は、特定のサービス・プロバイダ領域における移動加入者の実際の位置（またはその参照）または、サービス・プロバイダ領域間のインタフェースを与える所謂ゲートウエイについての参照、を含む。ゲートウエイは、例えばサービス・プロバイダが、競争上の、または他の理由により競争相手に直接、機密の(sensitive) 領域情報を開示するのを好まないとき利用される。
【０００６】
ＮＰと関連する問題の１つは、移動した加入者が、そのサービス・プロバイダ領域において利用できる電気通信及び回路網サービスに従って呼を移動加入者に配信することの要求である。
【０００７】
英国特許出願第２、２８０、３３４号は、電話使用者の概要を使用者より発する呼の伝送に関連して求める方法を開示する。使用者のサービス概要情報は電話回路網の全ての交換に、中間中央コンピュータを用いて記憶される。
【０００８】
加入者のサービス概要情報の変化の場合に全ての交換を更新するための膨大な記憶領域の必要性と厳しい機構に加えて、特に異なるサービス・プロバイダ領域が含まれるなら、サービス・プロバイダは取り分け、サービス予約等に関する情報を開示することなく、競争的サービスを与えることに基づく真実の要求（genuine requirement)をもつ。従って、実際にサービス・プロバイダは自己の加入者のサービス概要情報を自己のサービス領域のＳＣＰ装置に格納するのが好ましい。
【０００９】
そのような場合、呼が移動した加入者の実際のサービス・プロバイダ領域に伝送された後に、移動した加入者は自分がそのサービス、少なくとも呼の配信に関連したサービスを利用したか否かをを確認するため該領域のＳＣＰ装置に対して更に質問を開始しなければならない。そのような更なる質問が前記呼の移動加入者への配信の遅れを、移動しない加入者に比較して大きくすることは、当業者には理解されるであろう。しかし呼の設定時間をできるだけ小さくすることは、電気通信業務の目的である。
【００１０】
（発明の概要）
本発明の目的は、移動した加入者に呼を、その移動加入者に利用可能サービスに従って配信する効率的方法及びシステムを提供することである。
【００１１】
本発明の第１の態様によれば、複数のサービス・プロバイダ領域を含み、各領域が相互接続されたサービス交換ポイント（ＳＳＰ）とサービス制御ポイント（ＳＣＰ）装置を含む情報回路網（ＩＮ）電気通信システムのサービス・プロバイダ領域において呼をコールされた加入者に配信する方法が提供される。ここでＳＳＰは呼を発呼加入者からコールされた加入者に配信するように作動し、ＳＣＰは自己のサービス・プロバイダ領域において加入者に利用可能な電気通信及び回路網のサービスを制御するように作動し、移動加入者について伝送情報が設けられ、移動した加入者への呼はそのような伝送情報に従って配信され、この方法は、
−少なくとも移動加入者に対して移動情報を設け、移動情報が伝送情報、及び移動加入者に利用されるサービス、特に呼の配信に関するサービスによる情報に関連するようにすること、
−与えられた伝送情報及びサービス情報に従って、呼をコールされた移動加入者に配信すること、の各工程を含み、
−呼の配信に関するサービスをもたない移動加入者への呼は、移動加入者のサービス・プロバイダのＳＣＰ装置に質問することなく配信され、
−呼の配信に関するサービスをもつ移動加入者への呼は、移動加入者のサービス・プロバイダ領域のＳＣＰ装置に、与えられたサービス情報に従って質問することにより配信される。
【００１２】
本発明による方法においては、コールされた加入者の実際の位置と実際のサービス・プロバイダ領域のＳＣＰの質問が必要であるか否か、に関する移動情報が各加入者に利用可能である。ＳＣＰは移動情報を含むか又は移動情報を求める手段をもつ。
【００１３】
もしコールされた加入者が自己のサービス・プロバイダまたはドナー領域内に位置するなら、その呼はＩＮの確立された主要部（principals) に続く移動情報についてのＳＣＰの参照の後に、ＳＣＰの制御とコールされた加入者に利用可能な電気通信及び回路網サービスの下でＳＳＰ装置により配信される。
【００１４】
しかし、もしコールされた加入者が異なるサービス・プロバイダ領域に移動されていることを得られた移動情報が示すなら、伝送情報を検索して、他のサービス・プロバイダ領域における移動加入者を同定する。
【００１５】
本発明の方法により、伝送情報は直接、少なくとも呼がコールされた加入者に利用可能なサービスに従って配信されねばならないかを示す情報に関連している。従って、コールされた加入者の電気通信及び回路網サービスに関する情報はその伝送の完了によって直接利用可能となり、移動加入者への呼はその対応するサービス概要に従って配信できる。これは、コールされた加入者が呼の配信に関連するサービスを使用したか否かについての別個の質問工程を不要とする。移動加入者は、他のサービス・プロバイダ領域におけるサービス、すなわち完全ではないサービス概要を含むかに関する情報のみは最小限開示しなければならない。
【００１６】
当業者は、本発明による方法は信号のオーバーヘッドを最小にすることを理解できるであろう。本発明の方法によれば、各サービス・プロバイダはそれ自体のサービス情報を保持している。従ってサービス・プロバイダは、信頼できる更新手順を設定するため、基本的に競合的なサービス情報の開示を必要とするような共通回路網データベース等の更新を無理に行う必要は原理的に無い。しかし、もし望むなら共通の回路網データベースは依然利用可能である。
【００１７】
本発明の方法は、移動情報の格納及び更新のための追加的資源を殆ど必要としない。移動情報のサービス情報部分は、その最も簡単な形において所謂サービスフラッグ、又はトリガを含む。そのようなサービスフラッグまたはトリガは基本的に、サービス、特に呼の配信に関するサービスがコールされた移動加入者に利用可能であるか、及びどの様な条件で可能であるかを示す単一のデータビット、または数個のデータビットを含む。サービスフラッグ、トリガはまた所謂マスクビット（単一または複数）、単に“マスク”と呼ばれる条件設定を含むこともある。
【００１８】
本発明の方法の更なる実施例において、移動情報は移動加入者の伝送情報を記憶するように作動する専用の（dedicated)データベースから検索される。
【００１９】
本発明の方法の好ましい実施例において、伝送及びサービス情報を含む移動情報は、移動した加入者のホームサービス・プロバイダ領域のＳＣＰから検索される。
【００２０】
本発明の方法の更に別の実施例において、伝送情報は加入者が自己のサービス・プロバイダ領域の異なる部分、すなわち電気通信及び回路網サービスを制御するように作動する部分に移動したか否かに関する情報を含む。
【００２１】
この特徴により、加入者の接続されるサービス・プロバイダ領域の一部においては直接利用できない（追加の）電気通信及び回路網サービスを加入者に与えることが出来る。すなわち、加入者は（追加の）サービスを得るためそれ自体のホームサービス・プロバイダ領域内に局部的に移動することができる。本発明の方法により、移動された加入者への呼は、移動情報を得るため以外の遅れ無しに、利用可能なサービスにより支持される。
【００２２】
前記（追加の）サービス概要情報はサービス・プロバイダ領域の同じＳＣＰに、但し異なる場所に局部的番号の移動性によりルックアップ（lookup) して読み取りできるように含まれても良いことは当業者には理解されるであろう。
【００２３】
本発明により、移動情報は各加入者への各呼において検索しても、または選択的に実際の移動加入者に対する呼に対してのみ検索しても良い。
【００２４】
本発明は更に、複数のサービス・プロバイダ領域を含み、各領域が相互接続されたサービス交換ポイント（ＳＳＰ）とサービス制御ポイント（ＳＣＰ）装置を含む、情報回路網（ＩＮ）電気通信システムのサービス・プロバイダ領域において呼を、コールされた加入者に配信する呼配信システムを提供する。ここでＳＳＰは呼を発呼加入者からコールされた加入者に中間交換を介して配信するように作動し、ＳＣＰは加入者が自己のサービス・プロバイダ領域において利用できる電気通信及び回路網のサービスを制御するように作動し、呼配信システムは、
−移動された加入者の伝送情報を格納する装置と、
−少なくとも移動した加入者に対する移動情報を格納する装置にして、移動情報が伝送情報、及び移動加入者に利用されるサービス、特に呼の配信に関するサービスによる情報に関連する前記格納装置と、及び
−移動情報を検索し評価する装置と、を備え、
検索し評価する装置が、
−呼の配信に関するサービスをもたない移動加入者への呼は、移動加入者のサービス・プロバイダ領域のＳＣＰ装置に質問することなく配信され、
−呼の配信に関するサービスをもつ移動加入者への呼は、移動加入者のサービス・プロバイダ領域のＳＣＰ装置に、与えられたサービス情報に従って質問することにより配信される、ように作動的に接続されている。
【００２５】
本発明の前記及び他の特徴と利点は添付図面を参照した以下の記載に説明されるであろう。
【００２６】
（実施例の詳細な説明）
図１は、典型的な情報回路網（ＩＮ）電気通信システム１を示し、第１のサービス・プロバイダ領域１０、第２のサービス・プロバイダ領域２０を含む。良く分かるように、ＩＮシステム１は２つのサービス・プロバイダ領域に限定されている。しかし実際には、ＩＮシステムは同じまたは異なる地理的領域をサービスする、複数のサービス・プロバイダ領域を含んでも良い。図示の実施例においては、サービス・プロバイダ領域１０、２０は点線の境界線２により示される別個の地理的領域をサービスするものとする。
【００２７】
公衆電話網（ＰＳＴＮ）の代表的ＩＮ電気通信プロバイダ領域は、例えば相互接続された交換の複数の群を含む。加入者１１、１２、２１は地方交換（ＬＥ）１３、１４、２２を介して少なくとも１つのトランクまたはトランジット交換（ＴＥ）１５、２３にそれぞれ接続される。サービス・プロバイダ領域１０、２０はそれぞれのＴＥ１５、２３の間のトランク線３により接続される。ＬＥ１３、１４、２２及びＴＥ１５、２３はそれぞれトランク線４により接続され、加入者１１、１２、２１はそれぞれのＬＥ１３、１５、２２に加入者線または引込み線５により接続される。
【００２８】
図示の実施例において、ＴＥ１５、２３はサービス交換ポイント（ＳＳＰ）１６、２４を含む形式であり、ＳＳＰは加入者１１、１２、２１が呼を送信し、受け取るために必要な伝送路を確立するため前記ＴＥを制御する。
【００２９】
各サービス・プロバイダ領域１０、２０は更に加入者制御ポイント（ＳＣＰ）装置１７、２５を含む。各サービス・プロバイダ領域において、ＳＣＰは信号回路網１８、２６によりそれぞれそのサービス・プロバイダ領域のＳＳＰに接続される。ＳＣＰ１７、２５は加入者１１、１２、２１が自己サービス・プロバイダ領域１０、２０においてそれぞれ利用可能な電気通信及び回路網サービスを制御するように作動する。以上図１に示される。
【００３０】
加入者は、例えば異なるサービス・プロバイダより与えられるサービスの違いにより、費用等の理由のためサービス・プロバイダ領域を変更したいと思うかもしれない。番号の移動性（ＮＰ）により加入者は自己の最初の加入者番号を変更することなくサービス・プロバイダ領域を変更することができる。
【００３１】
呼をコールされた移動加入者に配信するためには、伝送情報を取得しなければならない。伝送情報は移動加入者のドナーまたはホームサービス・プロバイダ領域において別個の局部データベース装置、例えば信号リンク３２、３３によりＬＥ１３、２２にそれぞれ接続されるデータベース３０、３１に格納される。或いは伝送情報は、信号リンク２８、２９によりＳＣＰ１７、２５及びＳＳＰ１６、２４にそれぞれ接続される総合データベース装置３４に格納しても良い。更に、伝送情報は例えば、ＳＣＰ１７、２５の格納装置１９、２７に格納される。それぞれの格納装置と信号リンクは、これらが任意選択性であることを示すため点線で示される。
【００３２】
本発明により、サービス・プロバイダ領域の加入者１１、１２、２１の伝送情報は加入者のサービス、特に呼を移動加入者に配信することに関するサービスについての情報が付加される。基本的に、もし加入者が異なるサービス・プロバイダ領域に移動するなら、このサービス情報は簡単なトリガまたはフラッグに限定される。移動加入者が実際に位置するサービス・プロバイダ領域１０、２０のＳＣＰ１７、２５において、このサービス情報は移動加入者１１、１２、２１のサービス概要情報を発生（trigger)する。
【００３３】
本発明の方法を説明する目的のため、加入者２１がホームサービス・プロバイダまたはドナー領域２０からサービス・プロバイダ領域１０に移動し、点線及び参照番号２１’で示されるようにＬＥ１４に接続されたと仮定する。更に、その新しいサービス・プロバイダ領域１０において、呼待ち、２重呼接続等のような幾つかの電気通信及び回路網サービスが加入者２１’に利用可能とする。
【００３４】
サービス・プロバイダ領域１０、すなわち開始領域において加入者１１がＬＥ２２における最初の加入者番号または電話番号を用いて加入者２１を呼び出すとする。その呼はＬＥ１３、ＴＥ１５及びＴＥ２３を介し、中間回路線路３、４、５を経て設定される。
【００３５】
本発明により、加入者２１に対する呼は加入者２１が移動したこと、及び加入者２１に対するサービスの利用性を示す移動情報を与える。この移動情報はサービス・プロバイダ領域２０のデータベース装置３１、データベース装置３４または格納装置２７の何れかより求められる。
【００３６】
しかし、移動情報を求めるため使用者２１のドナー領域２０に呼を設定する代わりに、この移動情報を移動データベース装置から直接求めても良い。
【００３７】
加入者２１が移動したという移動情報から伝送情報が得られ、それは加入者の実際の物理的位置を直接与えるか、もし、サービス回路網プロバイダ領域１０、２０の完全な隔離が必要ならば、ＴＥ１５、２３を結合する所謂ゲートウエイ３６に対する参照を与える。ゲートウエイ３６はサービス・プロバイダ領域１０、２０の間のインタフェースを与える。移動加入者２１’の実際の位置の伝送情報はゲートウエイ３６において利用可能である。移動情報のサービス情報部分はゲートウエイ２１で与えられる伝送情報に付加される。ゲートウエイ３１はその任意選択の性質により点線で示される。
【００３８】
伝送情報は加入者２１のサービス情報と共にサービス・プロバイダ領域１０のＴＥ１５及びＳＳＰ１６に移動される。伝送情報の解析から加入者２１が（一時的に）ＬＥ１４に位置していることが明らかになり、発呼加入者１１の呼はＴＥ１５において、適用されるサービスの制御の下でＳＳＰ１６によりコールされた加入者２１’に伝送される。受信した移動情報のサービス情報の解析により、移動した加入者が少なくとも呼の配信に関するサービスを利用したか否かが明らかになる。もし利用したなら、必要なサービスを与えるためＴＥ１５とＬＥ１４を制御するために、信号リンク１８を介してＳＣＰ１７において適用されるサービス概要情報が調べられる。
【００３９】
もし移動情報が、移動加入者が呼の配信に関するサービスを受けていないことを示すサービス情報を含んでいるなら、ＳＣＰ１７は調べられない。
【００４０】
当業者には理解されるように、伝送情報が解析されコールされた移動加入者が位置付けされた後、本発明の方法では、実際のサービス・プロバイダ領域１０においてその呼が特別のサービスの後に配信されなければならないか否かに関する追加の質問はなされない。この質問工程は移動した加入者の実際のサービス・プロバイダ領域により用意される移動情報のサービス情報フラッグまたはトリガの使用により、すでに間接的になされている。サービスフラッグまたはトリガはまた単に“マスク”と呼ばれる所謂マスクビット（単数）またはマスクビット（複数）の条件設定を含む。
【００４１】
本発明の方法によれば、サービス・プロバイダのサービス提供に関して競合的情報が他のサービス・プロバイダと共通のシステムデータベースまたは局部的データベースに格納されることがなく、共通の更新手続きの必要が無い。伝送情報とサービス情報の結合により、信号のオーバヘッドが最小となる。それにより、移動加入者はそのサービス・プロバイダ領域において利用できるサービスに従った移動加入者への呼の設定時間に関する要求に容易に適合することができる。
【００４２】
上記の例において、加入者は１つのサービス・プロバイダ領域から他のサービス・プロバイダ領域に移動するものと仮定した。しかし、加入者がそのサービス・プロバイダ領域の異なる部分に位置する場合にサービスが与えられることも可能である。局部的番号の移動性を適用して、加入者がサービス・プロバイダ領域の他の部分に局部的に移動して、そこでサービスを利用することができる。本発明による伝送およびサービス情報の使用は、局部的に移動した加入者への呼の急速の配信を可能にする。局部的番号の移動性は、例えば異なる形式のサービスを提供する複数の部分を含む同じＳＣＰ内において適用できることに注意すべきである。
【００４３】
本発明の方法において、上述の簡単なトリガの形の移動情報に代えて、移動情報はさらに多くのサービス情報、または“マスク”動作を含んでも良い。
【００４４】
本発明の方法において、利用可能な信号が、コールされた移動加入者のサービス概要情報に従って呼を配信するのに使用できる。
【００４５】
図２は本発明のＩＮシステム１に使用されるＳＳＰ４０の簡易化されたブロック図を示す。
【００４６】
一般にブロック４１で示されるＳＳＰの公知の機能に加えて、図示のＳＳＰ４０はコールされた加入者の移動情報を検索する装置４２、移動情報を評価し、呼を移動した回路網位置にあるコールされた移動加入者に配信する装置４３、伝送情報及びサービス情報をコールされた移動加入者の実際のサービス・プロバイダ領域のＳＳＰ、またはゲートウエイ３６に伝達する装置４４を含む。上述の装置４２−４４はＳＳＰにおける追加のハードウエア装置およびソフトウエアの１方または両方により実現できることは、当業者には理解されるであろう。
【００４７】
本発明は勿論図示され上記に説明されたシステム及びＳＳＰに限定されるものでない。添付の請求の範囲に画定された本発明の範囲から逸脱することなく、図１に開示されたように例えば、ＬＥ１３、２２とＳＣＰ１７、２５の間の信号結合３５により、ＬＥからＳＳＰの移動情報を検索するというような、各種の変形、追加が与えられる。また例えば、ＬＥ１３、２２において分かるように、移動情報を各加入者への各呼について検索しても良く、または実際に移動した加入者への呼についてのみ検索しても良い。
【図面の簡単な説明】
【図１】  本発明の方法を具体化する、２つのサービス・プロバイダ領域を含む情報回路網（ＩＮ）電気通信システムの簡易化されたブロック図面を示す。
【図２】  本発明のシステムに使用するように構成されたＳＳＰの簡易化されたブロック図面を示す。
【図１】
0004094813.tif 000002
【図２】
0004094813.tif 000003